【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
第１の探索空間中の第１の復号候補と第２の探索空間中の第２の復号候補とを決定することと、ここで、前記第１の復号候補と前記第２の復号候補とが、同じサイズを有するが、情報フィールドの異なる定義を有する、
前記情報フィールドの差異を識別することと、ここで、前記差異が、ダウンリンク制御情報（ＤＣＩ）メッセージの終わりに向けて生じ、前記ＤＣＩメッセージ中の別個の情報フィールドが、チャネル状態情報（ＣＳＩ）要求フィールドまたはサウンディング基準信号（ＳＲＳ）要求フィールドのうちの少なくとも１つを備える、
前記識別された差異に基づいて前記第２の復号候補を前記有効な候補として決定することとを備える、ワイヤレス通信の方法。
【請求項２】
前記第１の復号候補と前記第２の復号候補とが同じ開始制御チャネル要素（ＣＣＥ）を有する、請求項１に記載の方法。
【請求項３】
前記差異が、ダウンリンク制御情報（ＤＣＩ）メッセージの始めに生じ、前記方法が、前記第１の復号候補を前記有効な候補として決定することをさらに備える、請求項１に記載の方法。
【請求項４】
前記ＤＣＩメッセージ中の別個の情報フィールドがクロスキャリアインジケータフィールド（ＣＩＦ）を備え、請求項３に記載の方法。
【請求項５】
前記第１の探索空間が共通探索空間（ＣＳＳ）であり、前記第２の探索空間がユーザ機器固有探索空間（ＵＥＳＳ）である、請求項１に記載の方法。
【請求項６】
第１の探索空間中の第１の復号候補と第２の探索空間中の第２の復号候補とを決定するための手段と、ここで、前記第１の復号候補と前記第２の復号候補とが、同じサイズを有するが、情報フィールドの異なる定義を有する、
前記情報フィールドの差異を識別するための手段と、ここで、前記差異が、ダウンリンク制御情報（ＤＣＩ）メッセージの終わりに向けて生じ、前記ＤＣＩメッセージ中の別個の情報フィールドが、チャネル状態情報（ＣＳＩ）要求フィールドまたはサウンディング基準信号（ＳＲＳ）要求フィールドのうちの少なくとも１つを備える、
前記識別された差異に基づいて前記第２の復号候補を前記有効な候補として決定するための手段とを備える、ワイヤレス通信のための装置。
【請求項７】
前記第１の復号候補と前記第２の復号候補とが同じ開始制御チャネル要素（ＣＣＥ）を有する、請求項８に記載の装置。
【請求項８】
前記差異が、ダウンリンク制御情報（ＤＣＩ）メッセージの始めに生じ、前記有効な候補を決定するための前記手段が、前記第１の復号候補を前記有効な候補として決定するように構成された、請求項８に記載の装置。
【請求項９】
前記ＤＣＩメッセージ中の別個の情報フィールドがクロスキャリアインジケータフィールド（ＣＩＦ）を備える、請求項１０に記載の装置。
【請求項１０】
前記第１の探索空間が共通探索空間（ＣＳＳ）であり、前記第２の探索空間がユーザ機器固有探索空間（ＵＥＳＳ）である、請求項８に記載の装置。
【請求項１１】
請求項１乃至５のうちのいずれか一項に記載の方法を実行するための命令を備えるコンピュータプログラム。
【手続補正２】
【補正対象書類名】明細書
【補正対象項目名】０１４６
【補正方法】変更
【補正の内容】
【０１４６】
以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られている、または後で知られることになる、本開示全体にわたって説明された様々な態様の要素のすべての構造的および機能的均等物は、参照により本明細書に明確に組み込まれ、特許請求の範囲によって包含されるものとする。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
以下に本願発明の当初の特許請求の範囲に記載された発明を付記する。
［Ｃ１］
第１の探索空間中の第１の復号候補と第２の探索空間中の第２の復号候補とを決定することと、ここで、前記第１の復号候補と前記第２の復号候補とが、同じサイズを有するが、情報フィールドの異なる定義を有する、
前記情報フィールドの差異を識別することと、
前記識別された差異に基づいて前記第１の復号候補および前記第２の復号候補のうちの１つを有効な候補として決定することとを備える、ワイヤレス通信の方法。
［Ｃ２］
前記第１の復号候補と前記第２の復号候補とが同じ開始制御チャネル要素（ＣＣＥ）を有する、Ｃ１に記載の方法。
［Ｃ３］
前記差異が、ダウンリンク制御情報（ＤＣＩ）メッセージの始めに生じ、前記方法が、前記第１の復号候補を前記有効な候補として決定することをさらに備える、Ｃ１に記載の方法。
［Ｃ４］
前記ＤＣＩメッセージ中の別個の情報フィールドがクロスキャリアインジケータフィールド（ＣＩＦ）を備える、Ｃ３に記載の方法。
［Ｃ５］
前記差異が、ダウンリンク制御情報（ＤＣＩ）メッセージの終わりに向けて生じ、前記方法が、前記第２の復号候補を前記有効な候補として決定することをさらに備える、Ｃ１に記載の方法。
［Ｃ６］
前記ＤＣＩメッセージ中の別個の情報フィールドが、チャネル状態情報（ＣＳＩ）要求フィールドまたはサウンディング基準信号（ＳＲＳ）要求フィールドのうちの少なくとも１つを備える、Ｃ５に記載の方法。
［Ｃ７］
前記第１の探索空間が共通探索空間（ＣＳＳ）であり、前記第２の探索空間がユーザ機器固有探索空間（ＵＥＳＳ）である、Ｃ１に記載の方法。
［Ｃ８］
第１の探索空間中の第１の復号候補と第２の探索空間中の第２の復号候補とを決定するための手段と、ここで、前記第１の復号候補と前記第２の復号候補とが、同じサイズを有するが、情報フィールドの異なる定義を有する、
前記情報フィールドの差異を識別するための手段と、
前記識別された差異に基づいて前記第１の復号候補および前記第２の復号候補のうちの１つを有効な候補として決定するための手段とを備える、ワイヤレス通信のための装置。
［Ｃ９］
前記第１の復号候補と前記第２の復号候補とが同じ開始制御チャネル要素（ＣＣＥ）を有する、Ｃ８に記載の装置。
［Ｃ１０］
前記差異が、ダウンリンク制御情報（ＤＣＩ）メッセージの始めに生じ、前記有効な候補を決定するための前記手段が、前記第１の復号候補を前記有効な候補として決定するように構成された、Ｃ８に記載の装置。
［Ｃ１１］
前記ＤＣＩメッセージ中の別個の情報フィールドがクロスキャリアインジケータフィールド（ＣＩＦ）を備える、Ｃ１０に記載の装置。
［Ｃ１２］
前記差異が、ダウンリンク制御情報（ＤＣＩ）メッセージの終わりに向けて生じ、前記有効な候補を決定するための前記手段が、前記第２の復号候補を前記有効な候補として決定するように構成された、Ｃ８に記載の装置。
［Ｃ１３］
前記ＤＣＩメッセージ中の別個の情報フィールドが、チャネル状態情報（ＣＳＩ）要求フィールドまたはサウンディング基準信号（ＳＲＳ）要求フィールドのうちの少なくとも１つを備える、Ｃ１２に記載の装置。
［Ｃ１４］
前記第１の探索空間が共通探索空間（ＣＳＳ）であり、前記第２の探索空間がユーザ機器固有探索空間（ＵＥＳＳ）である、Ｃ８に記載の装置。
［Ｃ１５］
第１の探索空間中の第１の復号候補と第２の探索空間中の第２の復号候補とを決定することと、ここで、前記第１の復号候補と前記第２の復号候補とが、同じサイズを有するが、情報フィールドの異なる定義を有する、
前記情報フィールドの差異を識別することと、
前記識別された差異に基づいて前記第１の復号候補および前記第２の復号候補のうちの１つを有効な候補として決定することとを行うように構成された処理システムを備える、ワイヤレス通信のための装置。
［Ｃ１６］
前記第１の復号候補と前記第２の復号候補とが同じ開始制御チャネル要素（ＣＣＥ）を有する、Ｃ１５に記載の装置。
［Ｃ１７］
前記差異が、ダウンリンク制御情報（ＤＣＩ）メッセージの始めに生じ、前記処理システムが、前記第１の復号候補を前記有効な候補として決定するようにさらに構成された、Ｃ１５に記載の装置。
［Ｃ１８］
前記ＤＣＩメッセージ中の別個の情報フィールドがクロスキャリアインジケータフィールド（ＣＩＦ）を備える、Ｃ１７に記載の装置。
［Ｃ１９］
前記差異が、ダウンリンク制御情報（ＤＣＩ）メッセージの終わりに向けて生じ、前記処理システムが、前記第２の復号候補を前記有効な候補として決定するようにさらに構成された、Ｃ１５に記載の装置。
［Ｃ２０］
前記ＤＣＩメッセージ中の別個の情報フィールドが、チャネル状態情報（ＣＳＩ）要求フィールドまたはサウンディング基準信号（ＳＲＳ）要求フィールドのうちの少なくとも１つを備える、Ｃ１９に記載の装置。
［Ｃ２１］
前記第１の探索空間が共通探索空間（ＣＳＳ）であり、前記第２の探索空間がユーザ機器固有探索空間（ＵＥＳＳ）である、Ｃ１５に記載の装置。
［Ｃ２２］
第１の探索空間中の第１の復号候補と第２の探索空間中の第２の復号候補とを決定することと、ここで、前記第１の復号候補と前記第２の復号候補とが、同じサイズを有するが、情報フィールドの異なる定義を有する、
前記情報フィールドの差異を識別することと、
前記識別された差異に基づいて前記第１の復号候補および前記第２の復号候補のうちの１つを有効な候補として決定することとを行うためのコードを備えるコンピュータ可読媒体を備える、コンピュータプログラム製品。
［Ｃ２３］
第１の探索空間中で送信するための第１の制御情報を生成することと、
サブフレームの第１のサブセットについて、
前記第１の探索空間中で送信されるべき前記第１の制御情報に第１の優先度を割り当てることと、前記第１の優先度が、第２の探索空間中で送信される第２の制御情報に割り当てられた第２の優先度よりも高い、
前記割り当てられた第１の優先度をもつ前記第１の制御情報を前記第１の探索空間中で送信することとを備える、ワイヤレス通信の方法。
［Ｃ２４］
サブフレームの前記第１のサブセットは、ユーザ機器（ＵＥ）がそこで再構成情報を受信するサブフレームを備える、Ｃ２３に記載の方法。
［Ｃ２５］
サブフレームの前記第１のサブセットが、
周波数分割複信（ＦＤＤ）システムのためのサブフレーム０、４、５、および９と、
時分割複信（ＴＤＤ）システムのためのサブフレーム０、１、５、および６とを備える、Ｃ２４に記載の方法。
［Ｃ２６］
サブフレームの第２のサブセットについて、
前記第１の探索空間中で送信されるべき前記第１の制御情報に第３の優先度を割り当てることと、前記第３の優先度が、前記第２の探索空間中で送信される前記第２の制御情報に割り当てられた第４の優先度よりも低い、
前記割り当てられた第３の優先度をもつ前記第１の制御情報を前記第１の探索空間中で送信することとをさらに備える、Ｃ２３に記載の方法。
［Ｃ２７］
サブフレームの前記第２のサブセットは、ユーザ機器（ＵＥ）がそこで再構成情報を受信しないサブフレームを備える、Ｃ２６に記載の方法。
［Ｃ２８］
前記第１の探索空間が共通探索空間（ＣＳＳ）であり、前記第２の探索空間がユーザ機器固有探索空間（ＵＥＳＳ）である、Ｃ２６に記載の方法。
［Ｃ２９］
第１の探索空間中で送信するための第１の制御情報を生成するための手段と、
サブフレームの第１のサブセットについて、
前記第１の探索空間中で送信されるべき前記第１の制御情報に第１の優先度を割り当てるための手段と、前記第１の優先度が、第２の探索空間中で送信される第２の制御情報に割り当てられた第２の優先度よりも高い、
前記割り当てられた第１の優先度をもつ前記第１の制御情報を前記第１の探索空間中で送信するための手段とを備える、ワイヤレス通信のための装置。
［Ｃ３０］
サブフレームの前記第１のサブセットは、ユーザ機器（ＵＥ）がそこで再構成情報を受信するサブフレームを備える、Ｃ２９に記載の装置。
［Ｃ３１］
サブフレームの前記第１のサブセットが、
周波数分割複信（ＦＤＤ）システムのためのサブフレーム０、４、５、および９と、
時分割複信（ＴＤＤ）システムのためのサブフレーム０、１、５、および６とを備える、Ｃ３０に記載の装置。
［Ｃ３２］
サブフレームの第２のサブセットについて、
前記第１の探索空間中で送信されるべき前記第１の制御情報に第３の優先度を割り当てるための手段と、前記第３の優先度が、前記第２の探索空間中で送信される前記第２の制御情報に割り当てられた第４の優先度よりも低い、
前記割り当てられた第３の優先度をもつ前記第１の制御情報を前記第１の探索空間中で送信するための手段とをさらに備える、Ｃ２９に記載の装置。
［Ｃ３３］
サブフレームの前記第２のサブセットは、ユーザ機器（ＵＥ）がそこで再構成情報を受信しないサブフレームを備える、Ｃ３２に記載の装置。
［Ｃ３４］
前記第１の探索空間が共通探索空間（ＣＳＳ）であり、前記第２の探索空間がユーザ機器固有探索空間（ＵＥＳＳ）である、Ｃ３２に記載の方法。
［Ｃ３５］
第１の探索空間中で送信するための第１の制御情報を生成することと、
サブフレームの第１のサブセットについて、
前記第１の探索空間中で送信されるべき前記第１の制御情報に第１の優先度を割り当てることと、前記第１の優先度が、第２の探索空間中で送信される第２の制御情報に割り当てられた第２の優先度よりも高い、
前記割り当てられた第１の優先度をもつ前記第１の制御情報を前記第１の探索空間中で送信することと
を行うように構成された処理システムを備える、ワイヤレス通信のための装置。
［Ｃ３６］
サブフレームの前記第１のサブセットは、ユーザ機器（ＵＥ）がそこで再構成情報を受信するサブフレームを備える、Ｃ３５に記載の装置。
［Ｃ３７］
サブフレームの前記第１のサブセットが、
周波数分割複信（ＦＤＤ）システムのためのサブフレーム０、４、５、および９と、
時分割複信（ＴＤＤ）システムのためのサブフレーム０、１、５、および６とを備える、Ｃ３６に記載の装置。
［Ｃ３８］
前記処理システムが、
サブフレームの第２のサブセットについて、
前記第１の探索空間中で送信されるべき前記第１の制御情報に第３の優先度を割り当てることと、前記第３の優先度が、前記第２の探索空間中で送信される前記第２の制御情報に割り当てられた第４の優先度よりも低い、
前記割り当てられた第３の優先度をもつ前記第１の制御情報を前記第１の探索空間中で送信することとを行うようにさらに構成された、Ｃ３５に記載の装置。
［Ｃ３９］
サブフレームの前記第２のサブセットは、ユーザ機器（ＵＥ）がそこで再構成情報を受信しないサブフレームを備える、Ｃ３８に記載の装置。
［Ｃ４０］
前記第１の探索空間が共通探索空間（ＣＳＳ）であり、前記第２の探索空間がユーザ機器固有探索空間（ＵＥＳＳ）である、Ｃ３８に記載の方法。
［Ｃ４１］
第１の探索空間中で送信するための第１の制御情報を生成することと、
サブフレームの第１のサブセットについて、
前記第１の探索空間中で送信されるべき前記第１の制御情報に第１の優先度を割り当てることと、前記第１の優先度が、第２の探索空間中で送信される第２の制御情報に割り当てられた第２の優先度よりも高い、
前記割り当てられた第１の優先度をもつ前記第１の制御情報を前記第１の探索空間中で送信することとを行うためのコードを備えるコンピュータ可読媒体を備える、コンピュータプログラム製品。
［Ｃ４２］
前記コンピュータ可読媒体が、
サブフレームの第２のサブセットについて、
前記第１の探索空間中で送信されるべき前記第１の制御情報に第３の優先度を割り当てることと、前記第３の優先度が、前記第２の探索空間中で送信される前記第２の制御情報に割り当てられた第４の優先度よりも低い、
前記割り当てられた第３の優先度をもつ前記第１の制御情報を前記第１の探索空間中で送信することとを行うためのコードをさらに備える、Ｃ４１に記載のコンピュータプログラム製品。